(57)【要約】【課題】  印刷物の退色程度を印刷前に視認する。【解決手段】  この画像処理装置では、入力された表示画像データを画像として印刷したときの印刷物が所定の掲示条件下で掲示されたとしたときの退色後予測プレビュー画像７４と退色前の退色前プレビュー画像７２とをディスプレイに並べて表示する。したがって、印刷物を所定の掲示条件下で掲示したときの退色程度をユーザが退色後予測プレビュー画像７４として印刷前に視認することができる。【選択図】        図５
2007026193.tif 000002
【特許請求の範囲】
【請求項１】
ディスプレイに接続した状態で用いられる画像処理装置であって、
印刷対象の画像データを入力する画像データ入力手段と、
前記画像データ入力手段によって入力された画像データを画像として印刷することにより得られる印刷物が所定の掲示条件の下で掲示されたとしたときの退色後予測プレビューを前記画像データと前記所定の掲示条件とに基づいて作成する退色後予測プレビュー作成手段と、
前記退色後予測プレビュー作成手段によって作成された前記退色後予測プレビューを前記ディスプレイに表示するよう前記ディスプレイの表示制御を実行する表示制御手段と、
を備えた画像処理装置。
【請求項２】
請求項１に記載の画像処理装置であって、
前記印刷物の掲示条件を入力する掲示条件入力手段、を備え、
前記退色後予測プレビュー作成手段は、前記掲示条件入力手段によって入力された前記掲示条件の下で前記印刷物が掲示されたときの前記退色後予測プレビューを前記画像データと前記掲示条件とに基づいて作成する、
画像処理装置。
【請求項３】
前記表示制御手段は、前記印刷物を前記所定の掲示条件の下で掲示する前の退色前プレビューと前記退色後予測プレビューとを並べて前記ディスプレイに表示するよう前記ディスプレイの表示制御を実行する、
請求項１又は２に記載の画像処理装置。
【請求項４】
前記所定の掲示条件はユーザによって入力されたものである、
請求項１〜３のいずれかに記載の画像処理装置。
【請求項５】
前記所定の掲示条件は、少なくとも印刷物掲示箇所の環境と印刷物掲示時間とを含む、
請求項１〜４のいずれかに記載の画像処理装置。
【請求項６】
前記印刷物は、インクジェットプリンタで印刷したものである、
請求項１〜５のいずれかに記載の画像処理装置。
【請求項７】
請求項１〜６のいずれかに記載の画像処理装置であって、
前記画像データを画像として印刷する際に使用される着色剤の退色に関するデータを記憶する退色データ記憶手段、
を備え、
前記退色後予測プレビュー作成手段は、前記退色データ記憶手段に記憶されたデータと前記画像データと前記所定の掲示条件とに基づいて前記退色後予測プレビューを作成する、
画像処理装置。
【請求項８】
ディスプレイに接続した状態で用いられる画像処理装置を制御する、コンピュータソフトウェアによる画像処理方法であって、
（ａ）印刷対象の画像データを入力するステップと、
（ｂ）前記ステップ（ａ）で入力された画像データを画像として印刷することにより得られる印刷物が所定の掲示条件の下で掲示されたとしたときの退色後予測プレビューを前記画像データと前記所定の掲示条件とに基づいて作成するステップと、
（ｃ）前記ステップ（ｂ）で作成された退色後予測プレビューを前記ディスプレイに表示するよう前記ディスプレイの表示制御を実行するステップと、
を含む画像処理方法。
【請求項９】
請求項８に記載の画像処理方法の各ステップを１又は複数のコンピュータに実行させるためのコンピュータプログラム。
【発明の詳細な説明】
【技術分野】
【０００１】
本発明は、画像処理装置、画像処理方法及びコンピュータプログラムに関する。
【背景技術】
【０００２】
近年、インクジェットプリンタによる画像処理技術は、印字するインクの小液滴化やへッド走査、記録紙搬送の高精度化により、画素の尖鋭性や粒状性を向上させ、写真程度の画質に近づける努力がなされている。例えば、写真印画紙に使用されるレジンコート紙にインク吸収層を設けた専用紙を用いて染料インクで画像を記録することにより、銀塩写真に匹敵する画質を得ることができるようになっている。しかし、染料インクで画像を記録すると写真の重要な機能である画像の保存性が劣り退色してしまうことがある。そこで、退色を防止するために、表層に熱可塑性樹脂を含有した記録用紙を用いて、インク噴射後に加熱し加圧することで写像性を向上させる技術が提案されている（例えば特許文献１）。
【特許文献１】特開２００３−１９１４６８
【発明の開示】
【発明が解決しようとする課題】
【０００３】
ところで、印刷した記録用紙をある掲示条件下で掲示したときの退色の程度が印刷前に視認できるのであれば、退色が著しい場合には、記録用紙を特許文献１のように表層に熱可塑性樹脂を含有したものに変更したり、退色しやすい色を退色しにくい色に変更したり、掲示条件を屋外から屋内に変更したりすることにより、退色を抑制することが可能となる。しかしながら、これまで、退色の程度が印刷前に視認できるような装置は知られていない。
【０００４】
本発明は、このような課題に鑑みなされたものであり、印刷物の退色程度を印刷前に視認することのできる画像処理装置、画像処理方法及びコンピュータプログラムを提供することを目的の一つとする。
【課題を解決するための手段】
【０００５】
本発明は、上述の目的を達成するために以下の手段を採った。
【０００６】
本発明の画像処理装置は、
ディスプレイに接続した状態で用いられる画像処理装置であって、
印刷対象の画像データを入力する画像データ入力手段と、
前記画像データ入力手段によって入力された画像データを画像として印刷することにより得られる印刷物が所定の掲示条件の下で掲示されたとしたときの退色後予測プレビューを前記画像データと前記所定の掲示条件とに基づいて作成する退色後予測プレビュー作成手段と、
前記退色後予測プレビュー作成手段によって作成された前記退色後予測プレビューを前記ディスプレイに表示するよう前記ディスプレイの表示制御を実行する表示制御手段と、
を備えたものである。
【０００７】
この画像処理装置では、入力された画像データを画像として印刷したときの印刷物が所定の掲示条件の下で掲示されたときの退色後予測プレビューを画像データと所定の掲示条件とに基づいて作成し、該作成した退色後予測プレビューをディスプレイに表示する。したがって、印刷物を所定の掲示条件下で掲示したときの退色程度をユーザが退色後予測プレビューとして印刷前に視認することができる。
【０００８】
本発明の画像処理装置は、更に、前記印刷物の掲示条件を入力する掲示条件入力手段、を備え、前記退色後予測プレビュー作成手段は、前記掲示条件入力手段によって入力された前記掲示条件の下で前記印刷物が掲示されたときの前記退色後予測プレビューを前記画像データと前記掲示条件とに基づいて作成してもよい。こうすれば、印刷物の掲示条件に応じた退色程度を視認することができる。
【０００９】
本発明の画像処理装置において、前記表示制御手段は、前記印刷物を前記所定の掲示条件の下で掲示する前の退色前プレビューと前記退色後予測プレビューとを並べて前記ディスプレイに表示するよう前記ディスプレイの表示制御を実行してもよい。こうすれば、ユーザは掲示前の印刷物のプレビューと掲示後の印刷物のプレビューとを比較可能なため、掲示後の印刷物の退色程度を的確に把握することができる。
【００１０】
本発明の画像処理装置において、前記所定の掲示条件はユーザによって入力されたものとしてもよい。こうすれば、ユーザが実際に掲示しようとする掲示条件を反映させることができる。
【００１１】
本発明の画像処理装置において、前記所定の掲示条件は、少なくとも印刷物掲示箇所の環境と印刷物掲示時間とを含むとしてもよい。これら２つの掲示条件が退色に深く関連しているからである。ここで、印刷物掲示箇所の環境としては、例えば、屋根の有無（つまり屋外か屋内か）や風防の有無、周囲の温度・湿度・ガス雰囲気などが挙げられる。なお、所定の掲示条件には、印刷物の被覆の有無、用紙の種類などを適宜加えてもよい。
【００１２】
本発明の画像処理装置において、前記印刷物は、インクジェットプリンタで印刷したものとしてもよい。一般にインクジェットプリンタで印刷した印刷物は、電子写真方式で印刷した印刷物と比べて退色しやすい傾向にあるため、本発明を適用する意義が高い。
【００１３】
本発明の画像処理装置は、更に、前記画像データを画像として印刷する際に使用される着色剤の退色に関するデータを記憶する退色データ記憶手段、を備え、前記退色後予測プレビュー作成手段は、前記退色データ記憶手段に記憶されたデータと前記画像データと前記所定の掲示条件とに基づいて前記退色後予測プレビューを作成するとしてもよい。こうすれば、印刷物の退色性と密接に関連する着色剤の退色性を考慮して印刷物の退色後予測プレビューを作成するため、印刷物の退色程度を的確にユーザに提示することができる。
【００１４】
本発明の画像処理方法は、
ディスプレイに接続した状態で用いられる画像処理装置を制御する、コンピュータソフトウェアによる画像処理方法であって、
（ａ）印刷対象の画像データを入力するステップと、
（ｂ）前記ステップ（ａ）で入力された画像データを画像として印刷することにより得られる印刷物が所定の掲示条件の下で掲示されたとしたときの退色後予測プレビューを前記画像データと前記所定の掲示条件とに基づいて作成するステップと、
（ｃ）前記ステップ（ｂ）で作成された退色後予測プレビューを前記ディスプレイに表示するよう前記ディスプレイの表示制御を実行するステップと、
を含むものである。
【００１５】
この画像処理方法では、入力された画像データを画像として印刷したときの印刷物が所定の掲示条件の下で掲示されたときの退色後予測プレビューを画像データと所定の掲示条件とに基づいて作成し、該作成した退色後予測プレビューをディスプレイに表示する。したがって、印刷物を所定の掲示条件下で掲示したときの退色程度をユーザが退色後予測プレビューとして印刷前に視認することができる。なお、この画像処理方法において、上述したいずれかの画像処理装置の機能を実現するステップを追加してもよい。
【００１６】
本発明のコンピュータプログラムは、上述した画像処理方法の各ステップを１又は複数のコンピュータに実行させるためのコンピュータプログラムである。このプログラムは、コンピュータが読み取り可能な記録媒体（例えばハードディスク、ＲＯＭ、ＦＤ、ＣＤ、ＤＶＤなど）に記録されていてもよいし、伝送媒体（インターネットやＬＡＮなどの通信網）を介してあるコンピュータから別のコンピュータへ配信されてもよいし、その他どのような形で授受されてもよい。このプログラムを一つのコンピュータに実行させるか又は複数のコンピュータに各ステップを分担して実行させれば、上述した本発明の画像処理方法の効果を得ることができる。
【発明を実施するための最良の形態】
【００１７】
次に、本発明の実施の形態を図面に基づいて説明する。図１は本実施形態の画像処理装置１０の概略構成を表すブロック図である。
【００１８】
画像処理装置１０は、インクジェットプリンタ２０を制御するパーソナルコンピュータとして構成され、各種の演算や制御を行うＣＰＵ１１と、各種制御プログラムを記憶するＲＯＭ１２と、データを一時的に記憶するＲＡＭ１３と、プリンタドライバなどの各種アプリケーションソフトウェアのほか各種データを記憶するハードディスク１４と、各種データの入力及び出力を行う入出力ポート１８などを備えている。このＣＰＵ１１やＲＯＭ１２、ＲＡＭ１３、ハードディスク１４、入出力ポート１８は、バス１９を介して電気的に接続されている。また、画像処理装置１０には、ユーザからの情報を入力するキーボード１５及びマウス１６や、各種情報を画面上に表示するディスプレイ１７、印刷媒体３９に印刷を行うインクジェットプリンタ２０などが入出力ポート１８に接続されている。
【００１９】
インクジェットプリンタ２０は、駆動輪２６と従動輪２７との間に架け渡されたタイミングベルト２８によりガイド２９に沿って左右に往復動するキャリッジ２１と、キャリッジ２１上に保持されたモノクロ用カートリッジ３０及びカラー用カートリッジ３４と、キャリッジ２１の下方にて各カートリッジ３０，３４から供給されるインクを印刷媒体３９に向けて吐出する印刷ヘッド３８と、印刷媒体３９を印刷ヘッド３８の後方から前方へ送り込む送り機構４０と、画像処理装置１０から入力される印刷情報の印刷媒体３９への印刷を制御するコントローラ４２とを備えている。コントローラ４２は、図示しない周知のＣＰＵ、ＲＯＭ、ＲＡＭなどを備えて構成され、画像処理装置１０から入力される印刷情報をドットパターンデータに展開し、そのドットパターンデータに基づいてキャリッジ２１や印刷ヘッド３８や送り機構４０を駆動制御して印刷媒体３９に印刷を実行するものである。なお、カラー用カートリッジ３４に充填されているインクの色は、シアン（Ｃ），マゼンダ（Ｍ），イエロー（Ｙ）の３色であり、モノクロ用カートリッジ３０に充填されているインクの色は、ブラック（Ｋ）である。
【００２０】
次に、本実施形態の画像処理装置１０の動作、特に印刷物の退色後予測プレビューを表示する退色後予測プレビュー表示ルーチンについて図２のフローチャート及び図３〜図５の表示画面説明図に基づいて説明する。
【００２１】
この退色後予測プレビュー表示ルーチンは、ユーザによる「退色後予測プレビュー」ボタンのクリックによって開始される。すなわち、ユーザは、図３に示すように、ディスプレイ１７に印刷プレビュー画面５０が表示されているときにマウス１６を動かすことによって印刷プレビュー画面５０の上部にあるツールバー５４内の所定のツールの中から「退色後予測プレビュー」ボタン５６を選び出し、カーソルを「退色後予測プレビュー」ボタン５６の上に移動してマウス１６をクリックする。これにより、印刷プレビュー画面５０に表示されている印刷プレビュー画像５２の画像データに基づいて印刷された印刷物を掲示したときの退色後予測プレビューを表示するよう、ユーザから指示されたことになる。これを受けて、画像処理装置１０のＣＰＵ１１は、ハードディスク１４にインストールされているプリンタドライバの一機能としての退色後予測プレビュー表示ルーチン（図２参照）を開始する。
【００２２】
この退色後予測プレビュー表示ルーチンが開始されると、ＣＰＵ１１は、まず、掲示条件入力画面６０をディスプレイ１７に表示する（ステップＳ１０２）。図４は掲示条件入力画面６０を示す説明図である。図４に示す掲示条件入力画面６０には、印刷プレビュー画像５２と、印刷プレビュー画像５２に基づいて印刷した印刷物を掲示するための掲示条件を入力する掲示条件入力欄６２とが表示される。この掲示条件入力欄６２には、印刷物を継続して掲示する期間を選択する第１入力欄６２ａと、その印刷物の掲示場所が直射日光下か屋外の日陰か屋内かを選択する第２入力欄６２ｂと、用紙の種類が普通紙か写真専用紙かを選択する第３入力欄６２ｃと、印刷面の被覆の有無等を選択する第４入力欄６２ｄと、退色後予測プレビューを実際に表示する際に選択される「表示」ボタン６３とが設けられている。ここで、第４入力欄６２ｄには、印刷物の印刷面を覆うものがなく外気に晒された状態のときに選択する「被覆なし」と、印刷物の印刷面がガラスなどで覆われているために外気には晒されていないが外気と完全には遮断されていない状態のときに選択する「額縁の中」と、印刷物の印刷面をフィルムなどでラミネート処理することによって印刷面が外気と略完全に遮断された状態のときに選択する「ラミネート」とがある。このように、印刷物の掲示期間や印刷面の被覆の有無、掲示場所といった条件を入力すべき掲示条件としたのは、退色の原因が主に紫外線や酸性化ガス（例えば、オゾンなど）によるインク成分の色素の破壊によるものであり、印刷物が紫外線や酸性化ガスに晒される度合いとこれらの条件とが深く関連するからである。また、印刷媒体３９の用紙の種類が異なれば退色しやすさも違うため、用紙の種類を入力すべき掲示条件とした。掲示条件を入力するにあたって、ユーザはキーボード１５又はマウス１６を操作して、各入力欄６２ａ〜６２ｄの所望のラジオボタンをクリックする。
【００２３】
続いて、ＣＰＵ１１は、各入力欄６２ａ〜６２ｄのラジオボタンのうちクリックされたラジオボタンがあるか否かを判定する（ステップＳ１０４）。そして、クリックされたラジオボタンがあるときには、そのラジオボタンの表示を選択されていることを示す表示（例えば、黒色の表示）にすると共に、そのラジオボタンと同じ入力欄にあるその他のラジオボタンの表示を選択されていないことを示す表示（例えば、白色の表示）にする（ステップＳ１０６）。
【００２４】
ステップＳ１０４でクリックされたラジオボタンがないとき、又はステップＳ１０６でラジオボタンの表示を変更した後は、ＣＰＵ１１は、「表示」ボタン６３がユーザによって選択されたか否かを判定し（ステップＳ１０８）、「表示」ボタン６３が選択されていないときにはＳ１０４に戻る。一方、「表示」ボタン６３が選択されたときには、すべての掲示条件入力欄６２ａ〜６２ｄにつきラジオボタンが選択されているか否かを判定する（ステップＳ１１０）。そして、掲示条件入力欄６２ａ〜６２ｄのいずれかの入力欄のラジオボタンが未選択のときには、掲示条件入力欄６２をすべて入力するように促すメッセージ画面をディスプレイ１７に表示し（ステップＳ１１２）、再びステップＳ１０２に戻る。一方、ステップＳ１１０ですべての掲示条件入力欄６２につきラジオボタンが選択されていたときには、表示画像データＤを構成する各ドットの色データと今回入力された掲示条件とに基づいて退色後予測画像データＤ＊を作成する（ステップＳ１１４）。ここで、表示画像データＤは、印刷プレビュー画面５０に表示される印刷プレビュー画像５２（図５の退色前プレビュー画像７２でもある）を表示するためのデータであり、各ドットごとに属性データや色データなどが規定されている。このうち、属性データとは、そのドットがフォント、自然画、ベタパターン及びアウトラインのうちいずれに属するかを示すデータである。また、色データとは、光の三原色であるＲＧＢで表されるデータ（ＲＧＢデータという）である。退色後予測画像データＤ＊は、退色後印刷プレビュー画像７４（図５参照）を表示するためのデータであり、表示画像データＤと同様、各ドットごとに属性データや色データなどが規定されている。この退色後予測画像データＤ＊は、表示画像データＤと比べると、色データだけが異なるものであり、属性データなどは同一である。退色後予測画像データＤ＊の色データは、次のようにして求めることができる。すなわち、まず、表示画像データＤの各ドットのＲＧＢデータを印刷の基本色であるＣＭＹＫで表されるデータ（ＣＭＹＫデータという）に変換する。続いて、このＣＭＹＫデータを色変換テーブルを用いて退色後のＣＭＹＫデータに変換する。ここで、色変換テーブルとは、様々なＣＭＹＫデータについて様々な掲示条件下でどのように退色するかを予め実験などを行うことにより調べ、退色前のＣＭＹＫデータと掲示条件とに対応して退色後のＣＭＹＫデータが得られるようにしたテーブルであり、ＲＯＭ１２に記憶されている。その後、この退色後のＣＭＹＫデータをＲＧＢデータに変換する。こうすることにより、表示画像データＤの各ドットのＲＧＢデータと今回入力された掲示条件とから、退色後予測画像データＤ＊の色データとしてのＲＧＢデータを得ることができる。なお、色変換テーブルを作成する際に考慮したＣＭＹＫの退色性は、インクの退色性と同視することができる。
【００２５】
ステップＳ１１４で退色後予測画像データＤ＊を作成した後、ＣＰＵ１１は、退色前後プレビュー画面７０をディスプレイ１７に表示する（ステップＳ１１６）。図５は、退色前後プレビュー画面７０を示す説明図である。図５に示す退色前後プレビュー画面７０には、表示画像データＤに基づいて作成された退色前プレビュー画像７２と、退色後予測画像データＤ＊に基づいて作成された退色後予測プレビュー画像７４と、退色前後プレビュー画面７０を閉じる際に選択される「閉じる」ボタン７６とが設けられている。このとき、退色前プレビュー画像７２と退色後予測プレビュー画像７４とは並べて表示される。このため、退色前プレビュー画像７２と退色後予測プレビュー画像７４との両者を容易に比較することができ、掲示後の退色程度を的確に把握することができる。
【００２６】
ステップＳ１１６の後、ＣＰＵ１１は、「閉じる」ボタン７６がユーザによって選択されたか否かを判定し（ステップＳ１１８）、「閉じる」ボタン７６が選択されていないときにはそのまま待機する。一方、「閉じる」ボタン７６が選択されたときには、退色前後プレビュー画面７０の表示を中止して（ステップＳ１２０）、本ルーチンを終了する。なお、本ルーチンの終了後、ユーザによって別途印刷指示がなされたときには、表示画像データＤに基づいてインクジェットプリンタ２０で印刷が行われる。但し、退色前後プレビュー画面７０の「閉じる」ボタン７６の代わりに又は「閉じる」ボタン７６と共に印刷実行ボタンを設けておき、印刷実行ボタンが選択されたときには表示画像データＤに基づいてインクジェットプリンタ２０で印刷を行われるようにしてもよい。
【００２７】
ここで、本実施形態の構成要素と本発明の構成要素との対応関係を明らかにする。本実施形態のＣＰＵ１１が本発明の退色後予測プレビュー作成手段や表示制御手段に相当し、入出力ポート１８が画像データ入力手段や掲示条件入力手段に相当し、ＲＯＭ１２が退色データ記憶手段に相当する。なお、本実施形態では、画像処理装置１０の動作を説明することにより本発明の画像処理方法の一例も明らかにしている。
【００２８】
以上詳述した本実施形態の画像処理装置１０によれば、表示画像データＤを画像として印刷したときの印刷物をユーザによって入力された掲示条件の下で掲示したとするときの退色後予測プレビュー画像７４を、表示画像データＤと今回入力された掲示条件とから色変換テーブルを用いて作成し、作成した退色後予測プレビュー画像７４をディスプレイ１７に表示する。したがって、ユーザによって設定された掲示条件の下で印刷物を掲示したときの退色程度をユーザが退色後予測プレビュー７４として印刷前に視認することができる。
【００２９】
また、掲示条件入力欄６２ａ〜６２ｄには複数の掲示条件が設けられているため、印刷物の掲示条件に対応する掲示条件をユーザが選択することにより、実際の掲示条件に応じた退色程度を退色後予測プレビュー画像７４として視認することができる。
【００３０】
更に、退色後予測プレビュー画像７４をディスプレイ１７に表示する際には、退色後予測プレビュー画像７４と退色前プレビュー画像７２とを並べて表示するため、ユーザは両者を比較することによって掲示後の印刷物の退色程度を的確に把握することができる。
【００３１】
更にまた、掲示条件はユーザが選択するため、ユーザが実際に掲示しようとする掲示条件を退色後予測プレビュー画像７４に反映させることができる。
【００３２】
そして、インクの退色程度を考慮して予め実験などによって求めた色変換テーブルを用いて退色後予測画像データＤ＊を作成するため、印刷物の退色性と密接に関連するインクの退色性を退色後予測プレビュー画像７４に反映させることができ、印刷物の退色程度をディスプレイ１７に的確に表示することができる。
【００３３】
なお、本発明は上述した実施形態に何ら限定されることはなく、本発明の技術的範囲に属する限り種々の態様で実施し得ることはいうまでもない。
【００３４】
例えば、上述した実施形態では、掲示条件のうち印刷物掲示箇所の環境としてユーザは直射日光下、屋外の日陰及び屋内の選択をするようにしたが、そのほかに屋外であっても風防の有無を選択したり掲示場所の周囲の湿度やガス雰囲気などを選択したりしてもよい。あるいは、上述した実施形態では、掲示条件をユーザが設定するものとしたが、掲示条件を予め固定された条件（例えば直射日光下で被覆なし）としてもよい。
【００３５】
また、上述した実施形態では、表示画像データをインクジェットプリンタ２０で印刷したときの印刷物につき退色後予測プレビュー７４を表示したが、特にインクジェットプリンタ２０に限定されるものではなく、電子写真方式のカラーレーザプリンタなどで印刷したときの印刷物につき退色後予測プレビュー７４を表示するようにしてもよい。但し、一般にインクジェットプリンタで印刷した印刷物は、電子写真方式で印刷した印刷物と比べて退色しやすい傾向にあるため、本発明を適用する意義が高い。
【００３６】
更に、上述した実施形態において、インクジェットプリンタ２０であっても、顔料インクと染料インクとでは退色の程度が異なることから、インクの種類が顔料インクか染料インクかを加味して退色後予測プレビュー画像７４の表示を行うようにしてもよい。
【００３７】
そして、上述した実施形態では、ステップＳ１１２で退色前プレビュー画像７２と退色後予測プレビュー画像７４とを並べてディスプレイ１７に表示するとしたが、退色後予測プレビュー画像７４を単独でディスプレイ１７に表示するとしてもよい。
【００３８】
そしてまた、上述した実施形態では、退色後予測画像データＤ＊を作成する際に色変換テーブルを用いたが、テーブルの代わりに、補正係数や関数を用いて退色後予測画像データＤ＊を作成するとしてもよい。
【図面の簡単な説明】
【００３９】
【図１】本実施形態の画像処理装置１０の概略構成を表すブロック図。
【図２】退色後予測プレビュー表示ルーチンのフローチャート。
【図３】画像表示画面５０の説明図。
【図４】掲示条件入力画面６０の説明図。
【図５】退色前後プレビュー画面７０の説明図。
【符号の説明】
【００４０】
１０  画像処理装置、１１  ＣＰＵ、１２  ＲＯＭ、１３  ＲＡＭ、１４  ハードディスク、１５  キーボード、１６  マウス、１７  ディスプレイ、１８  入出力ポート、１９  バス、２０  インクジェットプリンタ、２１  キャリッジ、２６  駆動輪、２７  従動輪、２８  タイミングベルト、２９  ガイド、３０  モノクロ用カートリッジ、３４  カラー用カートリッジ、３８  印刷ヘッド、３９  印刷媒体、４０  送り機構、４２  コントローラ、５０  画像表示画面、５２  印刷プレビュー画像、５４  ツールバー、５６  「退色後予測プレビュー」ボタン、６０  掲示条件入力画面、６２  掲示条件入力欄、６２ａ〜６２ｄ  入力欄、６３  「表示」ボタン、７０  退色前後プレビュー画面、７２  退色前プレビュー画像、７４  退色後予測プレビュー画像、７６  「閉じる」ボタン。
【図１】
2007026193.tif 000003
【図２】
2007026193.tif 000004
【図３】
2007026193.tif 000005
【図４】
2007026193.tif 000006
【図５】
2007026193.tif 000007